(57)【要約】【課題】ショーケースのケース本体の左右両側に配した透明材質の側板を巧みに利用して効果的な演出照明とアピール性の向上を図る。【解決手段】庫内に商品陳列棚２を備えたケース本体１の左右側面に、透明材質になる側板３を配したショーケースにおいて、側板の後端面３ａに対峙してケース本体側にエッジ照明光源として直管形の蛍光灯７，もしくはＬＥＤモジュールを配置し、またその前方に寒色（青色）ないしは暖色（赤色）の照明フィルタ９を組み合わせ、側板自身を導光板として前記光源の光により側板の前端面３ｂを、ショーケースの運転モード（コールド運転，ホット運転）に合わせてライティングする。【選択図】        図１
2006334275.tif 000002
【特許請求の範囲】
【請求項１】
庫内に商品陳列棚を備えたケース本体の左右側面に、透明材質になる側板を配したショーケースにおいて、
前記側板の後端面に対峙してケース本体側にエッジ照明光源を配置し、側板自身を導光板として前記光源により側板の前端面をライティングするようにしたことを特徴とするショーケース。
【請求項２】
請求項１記載のショーケースにおいて、エッジ照明光源が直管形蛍光灯であることを特徴とするショーケース。
【請求項３】
請求項１記載のショーケースにおいて、エッジ照明光源がストリップ状の基板に複数のＬＥＤをアレイ状に配列したＬＥＤモジュールであることを特徴とするショーケース。
【請求項４】
請求項２または３記載ショーケースにおいて、エッジ照明光源の前面に寒色ないしは暖色の照明フィルタを配したしたことを特徴とするショーケース。
【請求項５】
請求項３記載のショーケースにおいて、ＬＥＤモジュールに青色光ＬＥＤと赤色光ＬＥＤを組み合わせて側板のライティング光色を選択制御するようにしたことを特徴とするショーケース。
【発明の詳細な説明】
【技術分野】
【０００１】
本発明は、ケース本体の左右側面に透明材質になる側板を配した構成のショーケースに関する。
【背景技術】
【０００２】
まず、ショーケースとして冷蔵オープンショーケースを例にその従来構成を図４に示す。図において、１は前面開放形の断熱筐体になるケース本体、２は本体ケース１の庫内に多段に並べて配置した商品陳列棚、３はケース本体１の左右側面に配した透明材質（ガラスあるいは透明アクリル樹脂）になる透視化粧板を兼ねた側板、４は庫内の冷気循環通路に配した冷却器（冷凍機のエバポレータ）、５は庫内ファン、６は冷凍機のコンデンシングユニットである。
また、オープンショーケースについて、庫内照明および照明の演出効果を狙ってケース本体の左右側面に配した側板の前縁部に、直管形の蛍光灯を設置した構成のものが知られている（例えば、特許文献１参照）。
【特許文献１】特開平４−１３０８３号公報
【発明の開示】
【発明が解決しようとする課題】
【０００３】
昨今では、ショーケースのデザイン性などに関して顧客のニーズも多様化しており、製品の開発に当たってはデザイン性のほか照明の演出面でも在来製品と差別化して集客力を高めるアピール性の向上が求められている。
かかる点、先記のようにケース本体の側板前縁に蛍光灯を設置した構成（特許文献１参照）は格別な新味性もなく、これに代わるアピール性の高い演出照明が望まれる。
また、近年では商品陳列棚にヒータを組み込んでコールド運転とホット運転に切り換えて運転できるようにした冷蔵，温蔵に対応可能なデュアル方式のショーケースが製品化されており、このようなショーケースに対しては、ロケーション先の店舗に据付けた稼働状態でショーケースから離れた位置からでも陳列商品がコールド商品（コールド運転）であるかホット商品（ホット運転）であるかが判るようにすることが望まれる。
【０００４】
本発明は上記の点に鑑みなされたものであり、その目的はケース本体の左右両側に配した透明材質の側板を巧みに利用して効果的な演出照明，アピール性の向上が図れるようにしたショーケースを提供することにある。
【課題を解決するための手段】
【０００５】
上記目的を達成するために、本発明によれば、庫内に商品陳列棚を備えたケース本体の左右側面に、透明材質になる側板を配したショーケースにおいて、
前記側板の後端面に対峙してケース本体側にエッジ照明光源を配置し、側板自身を導光板として前記光源により側板の前端面をライティングするようにするものとし（請求項１）、そのエッジ照明光源は次記のような具体的態様で構成することができる。
（１）エッジ照明光源が、直管形の蛍光灯である（請求項２）。
（２）エッジ照明光源が、ストリップ状の基板に複数のＬＥＤ（発光ダイオード）をアレイ状に配列したＬＥＤモジュールである（請求項３）。
（３）前項（１）または（２）のショーケースにおいて、エッジ照明光源の前面に寒色（青色）ないしは暖色（赤色）の照明フィルタを配し、ライティングの光色をショーケースのコールド運転，ホット運転に対応して選択できるようにする（請求項４）。
（４）前項（２）のショーケースにおいて、ＬＥＤモジュールに青色光ＬＥＤと赤色光ＬＥＤを組み合わせて配列し、ライティングの光色をショーケースのコールド運転，ホット運転に対応して選択できるようにする（請求項５）。
【発明の効果】
【０００６】
上記の構成において、エッジ照明光源を点灯することにより、光源の光がケース本体の左右両側に配した透明材質の側板の後端面から入射して側板の前端面がライティング（エッジ照明）される。これにより、ショーケースを効果的に演出照明してよりアピール性，集客力が向上する。
また、エッジ照明光源に寒色ないしは暖色の照明フィルタを組み合わせ、ショーケースの運転モード（コールド運転，ホット運転）に合わせて照明フィルタを選択することにより、ロケーション先の店舗に据え付けたショーケースの稼働状態では、ショーケースから離れた位置からでも側板のライティング光色からショーケースの陳列商品がコールド商品であるかホット商品であるかが判別できる。
さらに、エッジ照明光源にＬＥＤモジュールを採用することにより消費電力が少なくて済むほか、そのＬＥＤモジュールに青色光ＬＥＤと赤色光ＬＥＤを組み合わせて配列することで、前記の照明フィルタを使わずにショーケースの運転モードに対応してライティング光の色を選択的に制御できる。
【発明を実施するための最良の形態】
【０００７】
以下、本発明の実施の形態を図１〜図３に示す実施例に基づいて説明する。なお、実施例の図中で図４に対応する部材には同じ符号を付してその説明は省略する。
すなわち、図示実施例のショーケースは図４に示した従来構造と基本的に同でであるが、ケース本体１の左右側面に配した透明材質の側板（透明ガラス板，もしくは透明アクリル板）３の後端面３ａに対峙してケース本体１の背面カバー１ａの内側にエッジ照明光源を配置し、側板自身を導光板として側板の前端面３ｂをライティング（エッジ照明）するようにしている。
【実施例１】
【０００８】
図１（ａ），（ｂ）は、前記のエッジ照明光源として直管形の蛍光灯７を使用し、その前面側にストリップ状の照明フィルタ９を組み合わせた本発明の請求項２，４に対応する実施例を示す。
ここで、前記の蛍光灯７の管長は側板３の高さに略対応し、側板３の後端面に添わせて対向配置されている。また、照明フィルタ９は寒色（青色）と暖色（赤色）との二種類のフィルタを用意し、ショーケースの運転モード（コールド運転，ホット運転）に対応して差し替えるようにしている。
上記の構成で蛍光灯７を点灯すると、蛍光灯の光が照明フィルタ９を透過して側板３の後端面３ａに入射し、側板３の前端面３ｂをライティングする。これにより、ショーケースの前方ないし斜め前方から見ると、側板３の前縁が明るく光ってショーケースのアピール性が向上する。また、ショーケースをコールド運転している時に照明フィルタ９を青色フィルタとすることにより、側板３の前端面が青色にライティングされるので離れた位置からでもコールド商品を陳列していることが判る。逆にショーケースのホット運転時には、照明フィルタ９を赤色フィルタに差し替えることで、ライティング光の色が赤になってホット商品を陳列していることが判る。
【実施例２】
【０００９】
次に、エッジ照明光源にＬＥＤモジュールを採用した本発明の請求項３，４に対応する実施例を図２（ａ），（ｂ）に示す。この実施例においては、先記実施例１の蛍光灯７に代えて、側板３の背後にはストリップ状の基板８ａに複数個のＬＥＤ（例えは白色光ＬＥＤ）を直線上に配列したＬＥＤモジュール８を設置した上で、その前面に照明フィルタ９を組み合わせており、これにより実施例１と同様に側板３の照明を演出してショーケースのアピール性を高めることができる。しかも、ＬＥＤは蛍光灯に比べて消費電力がはるかに少なく、また寿命も長くて殆どメンテナンスフリーで使用できる。
【実施例３】
【００１０】
次に、前記の実施例２をさらに発展させた本発明の請求項４に対応する実施例を図３（ａ），（ｂ）で説明する。すなわち、この実施例ではエッジ照明光源のＬＥＤモジュール８として、ストリップ状の基板８ａに青色光ＬＥＤ８ｂ−１と赤色光ＬＥＤ８ｂ−２とを交互に配列し、ショーケースの運転モード（コールド運転，ホット運転）に合わせて点灯するＬＥＤを選択的に制御するようにしている。これにより、先記の実施例２における照明フィルタ９が省略できる。
なお、青色光ＬＥＤ８ｂ−１と赤色光ＬＥＤ８ｂ−２を交互に点滅させることでショーケースのアピール性をより高めることができる。また、青色光ＬＥＤ８ｂ−１と赤色光ＬＥＤ８ｂ−２の配列を任意に設定してもよく、例えば庫内を冷蔵と温蔵領域とに分けたショーケースでは、その冷蔵領域と温蔵領域に合わせてＬＥＤモジュール８の青色光ＬＥＤと赤色光ＬＥＤを配列して点灯させることも可能である。
【図面の簡単な説明】
【００１１】
【図１】本発明の実施例１に係わるショーケースの構成図で、（ａ）はショーケース全体の側面図、（ｂ）は（ａ）は矢視Ｘ−Ｘ断面図
【図２】本発明の実施例２に係わるショーケースの構成図で、（ａ）はショーケース全体の側面図、（ｂ）は（ａ）は矢視Ｘ−Ｘ断面図
【図３】本発明の実施例３に係わるＬＥＤモジュールによる側板照明の説明図で、（ａ），（ｂ）はそれぞれ青色光ＬＥＤ，赤色光ＬＥＤの点灯状態を表す側面図
【図４】従来のショーケース構成図で、（ａ），（ｂ）はそれぞれ側面図，および正面図
【符号の説明】
【００１２】
１    ケース本体
２    商品陳列棚
３    側板
７    蛍光灯（エッジ照明光源）
８    ＬＥＤモジュール（エッジ照明光源）
８ａ  モジュールの基板
８ｂ  ＬＥＤ
８ｂ−１  青色光ＬＥＤ
８ｂ−２  赤色光ＬＥＤ
９    照明フィルタ
【図１】
2006334275.tif 000003
【図２】
2006334275.tif 000004
【図３】
2006334275.tif 000005
【図４】
2006334275.tif 000006